(57)【要約】      （修正有）【課題】使用する棚の大きさに合わせて個々に製作する必要がなく、ネットの下部にある物品の出し入れも容易に行うことができる、載置物落下防止ネットを提供する。【解決手段】各規格サイズの棚３の幅より僅かに短い幅と使用する棚板５間の高さより僅かに短い高さを有してその辺縁部を枠紐２にて補強したネット１と、該ネット１の四隅にオス側バックルを具備した長さ調節が可能な保持側ベルトを配設して構成し、メス側バックルを具備した係止側ベルトを前記オス側バックルと係合する位置の棚３の支柱４に固定し、前記メス側バックルに対向するオス側バックルを係合すると共に当該オス側バックルを具備した保持側ベルトの長さを調整して張設する。また、ネット１の下部を捲り上げて保持すべく、適度な長さを有した紐の一端部に開口部を有した金属フックと他端部に自閉式開口部を有したナイロンフックを具備した保持具をネット１に付属する。【選択図】図１
0003195162.tif 000002
【実用新案登録請求の範囲】
【請求項１】
各規格サイズの棚の幅より僅かに短い幅と使用する棚板間の高さより僅かに短い高さを有してその辺縁部を枠紐にて補強したネットと、該ネットの四隅にオス側バックルを具備した長さ調節が可能な保持側ベルトを配設して構成し、メス側バックルを具備した係止側ベルトを前記オス側バックルと係合する位置の棚の支柱に固定し、前記メス側バックルに対向するオス側バックルを係合すると共に当該オス側バックルを具備した保持側ベルトの長さを調整して張設することを特徴とする、載置物落下防止ネット。
【請求項２】
ネットの下部を捲り上げて保持すべく、適度な長さを有した紐の一端部に開口部を有した金属フックと他端部に自閉式開口部を有したナイロンフックを具備した保持具をネットに付属することを特徴とする、請求項１に記載の載置物落下防止ネット。
【考案の詳細な説明】
【技術分野】
【０００１】  本考案は、地震発生時等において棚に載置したファイルや商品等の物品が当該棚より落下するのを防止するための載置物落下防止ネットに関し、特に使用する棚の大きさに合わせて個々に製作する必要がなく、ネットの下部にある物品の出し入れも容易に行うことができる、載置物落下防止ネットに関するものである。
【背景技術】
【０００２】  従来、オフィスや工場を始めあらゆる場所においてファイルや商品等の物品を木製棚やスチール製棚に載置して整理保管している。【０００３】  地震発生時等において上記棚に載置したファイルや商品等の物品が当該棚より落下するのを防止するための方法として、当該棚自体が転倒するのを防止すべく、棚の支柱や天板をワイヤーや金具等により床や壁等に固定していた。【０００４】  しかしながら、上記方法では大きな地震、特に横揺れが激しい地震の場合、棚自体は床や壁等に固定されて転倒しなくとも、棚板に載置したファイルや商品等の物品が落下する危険性がある。このような危険性を防止すべく、本願出願人による実用新案登録第３１８６３４２号公報の考案の名称「載置物落下防止ネット用押止具」では、複数の上下棚板で形成される載置空間の前面全体にネットを張設して覆う方法と、該ネットの撓みによる落下防止機能の不確実性を補完する、載置物落下防止ネット用押止具について記載した。【０００５】  上記公報において、載置物落下防止ネットの底辺部と上辺部の棚板への固定は、棚板に固定用のボルトを螺着すべく穴開け加工やネジ切り加工が必要であるため、作業性が劣るという欠点があり、さらに載置物落下防止ネットが不要となった際には、前記作業で開けた穴が多数残ってしまうという問題点があった。このような問題点を解決すべく、本願出願人による実用新案登録第３１８７９８０号公報の考案の名称「載置物落下防止ネット用係止具」では、載置物落下防止ネットの辺縁部に配設したターポリンベルトやワンタッチバックルを棚板に容易に固定することができる、載置物落下防止ネット用係止具について記載した。【０００６】
【特許文献１】実用新案登録第３１８６３４２号
【特許文献２】実用新案登録第３１８７９８０号
【考案の開示】
【考案が解決しようとする課題】
【０００７】  上記各公報における載置物落下防止ネットは、底辺部と上辺部をターポリンベルトで補強して構成したものであり、使用する棚の大きさに合わせて製作される少量受注商品となることが多い。このため納期がかかると共に販売価格も高くなるという欠点があった。また、ワンタッチバックルが上辺部にあるため、ネットの下部にある物品の出し入れを行う際には、前記ワンタッチバックルを全て外す必要があり、作業性が劣るという問題点もあった。【０００８】  本考案は、上記問題点を解決するために成されたものであり、使用する棚の大きさに合わせて個々に製作する必要がなく、ネットの下部にある物品の出し入れも容易に行うことができる、載置物落下防止ネットを提供することを目的とする。
【課題を解決するための手段】
【０００９】  上記課題を解決するため、本考案の載置物落下防止ネットは、各規格サイズの棚の幅より僅かに短い幅と使用する棚板間の高さより僅かに短い高さを有してその辺縁部を枠紐にて補強したネットと、該ネットの四隅にオス側バックルを具備した長さ調節が可能な保持側ベルトを配設して構成し、メス側バックルを具備した係止側ベルトを前記オス側バックルと係合する位置の棚の支柱に固定し、前記メス側バックルに対向するオス側バックルを係合すると共に当該オス側バックルを具備した保持側ベルトの長さを調整して張設する。また、ネットの下部を捲り上げて保持すべく、適度な長さを有した紐の一端部に開口部を有した金属フックと他端部に自閉式開口部を有したナイロンフックを具備した保持具をネットに付属する。
【考案の効果】
【００１０】  本考案の載置物落下防止ネットを用いれば、使用する棚の大きさに合わせて個々に製作する必要がなく、数種類の規格サイズ品を用意するだけで対応できるため、納期もかからず販売価格も安価になるという効果を奏する。また、ネットの下部にある物品の出し入れを行う際には、ネットの下部にある左右何れかのワンタッチバックルを外し、付属の保持具でネットを捲り上げて保持することができるため、作業性が向上するという効果も奏する。
【考案を実施するための最良の形態】
【００１１】  本考案を実施するための最良の形態を図を用いて説明する。【００１２】  図１は本考案の載置物落下防止ネットの使用状態を示した図であり、図２は図１におけるＡ部拡大図である。該図に示すように、本考案の載置物落下防止ネットは、各規格サイズの棚３の幅より僅かに短い幅と使用する棚板５間（最上段にあっては天板６と棚板５間）の高さより僅かに短い高さを有してその辺縁部を枠紐２にて補強したネット１と、該ネット１の四隅にオス側バックル１０を具備した長さ調節が可能な保持側ベルト１１を配設して構成し、メス側バックル１２を具備した係止側ベルト１３を前記オス側バックル１０と係合する位置の棚３の支柱４に固定し、前記メス側バックル１２に対向するオス側バックル１０を係合すると共に当該オス側バックル１０を具備した保持側ベルト１１の長さを調整して張設する。【００１３】  上記のように、オス側バックル１０を具備した保持側ベルト１１の長さを調整して張設する構造とすることにより、使用する棚６の幅や高さが多少異なった場合でも、前記保持側ベルト１１の長さを調整したりメス側バックル１２を具備した係止側ベルト１３の支柱４への固定位置を調整することにより対応することができため、使用する棚６の大きさに合わせて個々に製作する必要がなくなる。【００１４】  図４は本考案の載置物落下防止ネットで使用ワンタッチバックルの構成図であり、メス側バックル１２を具備した係止側ベルト１３を棚３の支柱４に固定する方法として、棚板５を固定するための支柱４に予め穿孔されている固定穴７を利用し、ボルト８を前記係止側ベルト１３のハトメ穴１４に挿入して螺着するのが好適である。なお、支柱４に固定穴７が穿孔されていないタイプの棚の場合には、図５の本考案の載置物落下防止ネットで使用する係止具の外形図で示すような係止具１５を使用するのが好適である。該係止具１５は、ベース板１６の中央部にボルト部１７を垂直に固着すると共に当該ベース板１６の裏面に両面テープ１８を貼着して構成し、前記係止側ベルト１３のハトメ穴１４を当該ボルト部１７に挿入してナット締めを行うことにより固定でき、支柱４への穴開け加工やネジ切り加工が不要となる。【００１５】  図６は本考案の載置物落下防止ネットで使用する保持具の外形図である。該図に示すように、ネット１の下部を捲り上げて保持すべく、適度な長さを有した紐２２の一端部に開口部２０ａを有した金属フック２０と他端部に自閉式開口部２１ａを有したナイロンフック２１を具備した保持具１９をネット１に付属する。使用時は、該保持具１９のナイロンフック２１の自閉式開口部２１ａをネット１の捲り上げる側の下部に保持しておき、該当位置にあるワンタッチバックル９を外して捲り上げ、金属フック２０の開口部２０ａをネット１の上部の任意の位置に掛けて保持する。【００１６】  図３は図１においてネットの右下部を捲り上げて保持具にて保持した状態図である。該図において、ネット１の下部の右側にある物品２３の出し入れを行う際には、ネット１の下部の右側にあるワンタッチバックル９を外し、付属の保持具１９を用いてネット１を捲り上げて保持する。このため、ネット１の下部の右側にある物品２３の出し入れが容易に行うことができ、作業性が向上することになる。【００１７】  なお、上記にて説明した載置物落下防止ネットで使用する係止具１５や保持具１９は図示したものに限定するものではなく、さらにワンタッチバックル９のオス側バックル１０とメス側バックル１２の配置も限定するものではなく、同等の機能を得られるものは全て本考案に包含するものである。
【図面の簡単な説明】
【００１８】
【図１】本考案の載置物落下防止ネットの使用状態を示した図である。
【図２】図１におけるＡ部拡大図である。
【図３】図１においてネットの右下部を捲り上げて保持具にて保持した状態図である。
【図４】本考案の載置物落下防止ネットで使用ワンタッチバックルの構成図である。
【図５】本考案の載置物落下防止ネットで使用する係止具の外形図である。
【図６】本考案の載置物落下防止ネットで使用する保持具の外形図である。
【符号の説明】
【００１９】  １  ネット
２  枠紐
３  棚
４  支柱
５  棚板
６  天板
７  固定穴
８  ボルト
９  ワンタッチバックル
１０  オス側バックル
１１  保持側ベルト
１２  メス側バックル
１３  係止側ベルト
１４  ハトメ穴
１５  係止具
１６  ベース板
１７  ボルト部
１８  両面テープ
１９  保持具
２０  金属フック
２１  ナイロンフック
２２  紐
２３  物品
【図１】
0003195162.tif 000003
【図２】
0003195162.tif 000004
【図３】
0003195162.tif 000005
【図４】
0003195162.tif 000006
【図５】
0003195162.tif 000007
【図６】
0003195162.tif 000008